(57)【要約】【課題】  耐荷重性に優れた屋根構造体を構築することができ、しかも、運搬及び施工作業を容易化して安全性の向上及び工期の短縮も図れる屋根組み用垂木ユニット材及びそれを用いた屋根構築方法を提供すること。【解決手段】  山形に組み合わされた合掌材11・11と、この合掌材11・11の内股部に架け渡された横架材12と、この横架材12と前記合掌材11・11の頂部を連結する縦材13と、この縦材13の下方部両側から前記合掌材11・11側に斜設された斜材14・14とから成るユニット骨格材１と；前記合掌材11・11と横架材12とが形成するトライアングル部Ｔの前後両面に重ね合わせて固定された略同形状のガセット板２・２とを包含して構成し、前記ユニット骨格材１の合掌材11・11及び横架材12に加わる負荷を、前記トライアングル部Ｔ内の構成材とガセット板２・２とが補完補強し合って分散吸収可能とした【選択図】  図１
2011106191.tif 000002
【特許請求の範囲】
【請求項１】
山形に組み合わされた合掌材11・11と、この合掌材11・11の内股部に架け渡された横架材12と、この横架材12と前記合掌材11・11の頂部を連結する縦材13と、この縦材13の下方部両側から前記合掌材11・11側に斜設された斜材14・14とから成るユニット骨格材１と；
前記合掌材11・11と横架材12とが形成するトライアングル部Ｔの前後両面に重ね合わせて固定された略同形状のガセット板２・２とを包含して構成されており、
前記ユニット骨格材１の合掌材11・11及び横架材12に加わる負荷を、前記トライアングル部Ｔ内の構成材とガセット板２・２とが補完補強し合って分散吸収することを特徴とする屋根組み用垂木ユニット。
【請求項２】
ガセット板２に構造用合板が使用されていることを特徴とする請求項１記載の屋根組み用垂木ユニット。
【請求項３】
山形に組み合わされた合掌材11・11と、この合掌材11・11の内股部に架け渡された横架材12と、この横架材12と前記合掌材11・11の頂部を連結する縦材13と、この縦材13の下方部両側から前記合掌材11・11側に斜設された斜材14・14とから成るユニット骨格材１と；
前記合掌材11・11と横架材12とが形成するトライアングル部Ｔの前後両面に重ね合わせて固定された略同形状のガセット板２・２とを包含して構成された垂木ユニット材Ｕを、所要の間隔をもって列立し横木材３・３…で連結したことを特徴とする屋根組みブロック。
【請求項４】
山形に組み合わされた合掌材11・11と、この合掌材11・11の内股部に架け渡された横架材12と、この横架材12と前記合掌材11・11の頂部を連結する縦材13と、この縦材13の下方部両側から前記合掌材11・11側に斜設された斜材14・14とから成るユニット骨格材１と；
前記合掌材11・11と横架材12とが形成するトライアングル部Ｔの前後両面に重ね合わせて固定された略同形状のガセット板２・２とを包含して構成された垂木ユニット材Ｒを、所要の間隔をもって列立して横木材３・３…で連結することにより屋根組みブロックＢを作製し、
この屋根組みブロックＢを、築造中の建物構造体Ｈにおける母屋Ｍ・Ｍ上に桁行方向に順々に配置固定して、屋根全体の骨組みを施工することを特徴とする建物の屋根施工方法。
【請求項５】
屋根組みブロックＢを母屋Ｍ・Ｍ上に配置した後、連結金具４である煽止め金具41と羽子板ボルト42を使用して垂木ユニット材Ｕのユニット骨格材１の両端部と軒桁Ｎ・Ｎとを連結固定することを特徴とする請求項４に記載の建物の屋根施工方法。
【発明の詳細な説明】
【技術分野】
【０００１】
本発明は、屋根ユニット材の改良、詳しくは、耐荷重性に優れた屋根構造体を構築することができ、しかも、運搬及び施工作業の容易化、安全性の向上そして工期の短縮も図れる屋根組み用垂木ユニット及びそれを用いた屋根構築方法に関するものである。
【背景技術】
【０００２】
近年、木造住宅の構法は、木造軸組構法(在来工法)や木造枠組壁構法(２×４工法)が主流となっているが、これらの構法において小屋組の構築する際には、高度な技巧が要求される継手や仕口などの複雑な加工を予め工場で行い、このプレカットした構造材を現場で組み立てる方法が採用されていた。
【０００３】
ところが、上記プレカットした構造材による工法は、依然として大量の構造材を現場で組み立てる作業が必要であったため、作業者は長時間高所で作業しなければならず、施工作業の効率性や安全性の面において問題があった。
【０００４】
そこで、従来、小屋束と母屋、垂木の上部、棟木とが一体となった小屋根ユニットを予め工場等で作製し、それをクレーン等で小屋梁上に載置した後、小屋根ユニットの母屋と軒桁に対し、垂木の下部を複数並べて連結した柵状ユニットを固定して効率的に小屋根を構築できるようにした技術（特許文献１参照）が提案された。
【０００５】
しかしながら、上記工法により構築された小屋根は、建築基準法上の要件を満たす耐荷重性を有してはいるものの、積雪量が多い地域などにおいて建築基準法以上の耐荷重性を求める場合に、構造的に耐力が不足しがちであった。
【０００６】
また、上記小屋根の構築法では、小屋根ユニットに小屋束を含めていたことから、ユニットのサイズが非常に大きくなってトラックでの運搬やクレーンでの吊り上げ作業が困難となり易かった。しかも、柵状ユニットについてもクレーンで吊りながら母屋や軒桁に取り付ける必要があったため、作業は非常に困難で、ユニット化によるメリットを生かし切れていなかった。
【先行技術文献】
【特許文献】
【０００７】
【特許文献１】特開平９−１７０２８６号公報（第２−５頁、第１〜４図）
【発明の概要】
【発明が解決しようとする課題】
【０００８】
本発明は、上記の如き問題に鑑みて為されたものであり、その目的とするところは、耐荷重性に優れた屋根構造体を構築することができ、しかも、運搬及び施工作業を容易化して安全性の向上及び工期の短縮も図れる屋根組み用垂木ユニット材及びそれを用いた屋根構築方法を提供することにある。
【課題を解決するための手段】
【０００９】
本発明者が上記課題を解決するために採用した手段を添付図面を参照して説明すれば次のとおりである。
【００１０】
即ち、本発明は、山形に組み合わされた合掌材11・11と、この合掌材11・11の内股部に架け渡された横架材12と、この横架材12と前記合掌材11・11の頂部を連結する縦材13と、この縦材13の下方部両側から前記合掌材11・11側に斜設された斜材14・14とから成るユニット骨格材１と；
前記合掌材11・11と横架材12とが形成するトライアングル部Ｔの前後両面に重ね合わせて固定された略同形状のガセット板２・２とを包含して構成し、
前記ユニット骨格材１の合掌材11・11及び横架材12に加わる負荷を、前記トライアングル部Ｔ内の構成材とガセット板２・２とが補完補強し合って分散吸収可能とした点に特徴がある。
【００１１】
また本発明は、上記手段に加えて、ガセット板２に構造用合板を使用して強度向上及びコスト低減を図るという技術的手段を採用することもできる。
【００１２】
一方、本発明は、上記構成による垂木ユニット材Ｕを所要の間隔をもって列立して横木材５・５…で連結することにより屋根組みブロックＢを作製するという技術的手段を採用することもできる。
【００１３】
また本発明は、上記構成による屋根組みブロックＢを、築造中の建物構造体Ｈにおける母屋Ｍ・Ｍ上に桁行方向に順々に配置固定して、屋根全体の骨組みを施工するという技術的手段を採用することもできる。
【００１４】
更に本発明は、上記屋根施工方法において、屋根組みブロックＢを母屋Ｍ・Ｍ上に配置した後、連結金具４である煽止め金具41と羽子板ボルト42を使用して垂木ユニット材Ｕのユニット骨格材１の両端部と軒桁Ｎ・Ｎとを連結固定するという技術的手段を採用することもできる。
【発明の効果】
【００１５】
本発明では、合掌材とその内側に架け渡す横架材とを含んで垂木ユニットを作製し、これを複数並べて横木で連結して屋根組みブロックを構成したことにより、当該屋根組みブロックを工場等で予め作製して現場に持ち込めば、既設の母屋上に屋根組みブロックをクレーン等で載置していくだけで簡単に小屋根を構築することが可能となる。
【００１６】
また、上記小屋根において、垂木ユニットの合掌材と横架材に加わる荷重は、合掌材と横架材の内側に設けた補強用の骨格材とその前後に取り付けたガセット板とによって効果的に分散して吸収することができるため、耐荷重性の向上を図ることもできる。
【００１７】
そしてまた、上記垂木ユニットから成る屋根組みブロックには小屋束や母屋を含める必要がないため、コンパクトなサイズで運搬を行うことができ、クレーンでの吊り上げ作業も容易となる。また、クレーンで吊りながら取り付けを行う必要もないため、作業の迅速化及び安全性の向上を図ることもできる。
【００１８】
したがって、本発明により、簡単かつ迅速にそして安全に小屋根の構築を行うことができ、しかも、積雪地域において問題なく使用できる屋根組み用ユニットを提供できることから、本発明の実用的利用価値は頗る高い。
【図面の簡単な説明】
【００１９】
【図１】本発明の実施例１における屋根組み用垂木ユニットを表わす全体斜視図である。
【図２】本発明の実施例１における屋根組み用垂木ユニットを表わす分解斜視図である。
【図３】本発明の実施例１における屋根組み用垂木ユニットを表わす全体正面図である。
【図４】本発明の実施例１における屋根組みブロックを用いた屋根構造を表わす説明斜視図である。
【図５】本発明の実施例１における屋根組みブロックを用いて屋根を施工した建築構造物を表わす全体正面図である。
【図６】本発明の実施例１における屋根組みブロックの取付け構造を表わす部分側面図である。
【図７】本発明の実施例１における屋根組みブロックの取付け構造を表わす拡大斜視図である。
【発明を実施するための形態】
【００２０】
『実施例１』
本発明の実施例１を、図１から図５に基いて以下に説明する。ちなみに同図において、符号１で指示するものは、ユニット骨格材であり、符号２で指示するものは、ガセット板である。また符号３で指示するものは、横木材であり、符号４で指示するものは、連結金具である。
【００２１】
まず実施例１では、二枚の板材が山形に組み合わせた合掌材11・11の内股部に横架材12を連結すると共に、前記合掌材11・11の頂点部と横架材12の中央部には縦材13を連結し、更に縦材13の下部両側と合掌材11・11とを斜材14・14で連結してユニット骨格材１を形成している(図１、図２参照)。
【００２２】
そして、上記ユニット骨格材１の合掌材11・11と横架材12とが形成するトライアングル部Ｔの前後両面に、当該部位と略同形状のガセット板２・２を固定して垂木ユニット材Ｕを構成している。
【００２３】
なお実施例１では、ガセット板２・２に安価で耐久性に優れた構造用合板を使用し、この構造用合板製のガセット板２・２を、各構成材を仮止めしたユニット骨格材１のトライアングル部Ｔに重ね合わせて、その周縁部を10cm間隔で釘打ちすることにより固定している(図３参照)。
【００２４】
次に、上記垂木ユニット材Ｕを用いて屋根を構築する方法を説明する。まず、工場において木材及び構造用合板から上記垂木ユニット材Ｕを作製した後、垂木ユニット材Ｕを所要の間隔で列立し横木材３・３…で連結して屋根組みブロックＢを作製する(図４参照)。
【００２５】
そして、上記屋根組みブロックＢを現場に搬送した後、クレーン等で屋根組みブロックＢを持ち上げて築造中の建築構造体Ｈの母屋Ｍ・Ｍ上に載置し、屋根組みブロックＢの垂木ユニット材Ｕの両端部と軒桁Ｎとを連結金具４で固定して据え付けを行う(図５参照)。
【００２６】
なお実施例１では、図６に示すように上記連結金具４に煽止め金具41と羽子板ボルト42を使用して垂木ユニット材Ｕと軒桁Ｎとを強固に連結している。
【００２７】
そして、上記屋根組みブロックＢを桁行方向に並べて順次据え付けた後、垂木ユニット材Ｕ・Ｕの上部に野地板Ｐを取り付けて屋根施工を行う。なおこの際、屋根組みブロックＢ同士を釘打ちして連結し易くするために、屋根組みブロックＢ・Ｂの横木材３・３…の位置は互い違いにしておくのが望ましい。
【００２８】
このように屋根の構築において、工場等で製作可能な垂木ユニット材Ｕ及び屋根組みブロックＢを利用すれば、職人の高度な技能や高所での長時間の作業も不要となるため、施工作業の容易化並びに工期の短縮を図れる。
【００２９】
しかも、上記屋根組みブロックＢを用いた屋根構造体において、垂木ユニット材Ｕに加わる荷重は、ユニット骨格材１の合掌材11・11と横架材12の内側に設けた縦材13や斜材14・14および合掌材11・11と横架材12により形成されるトライアングル部Ｔの前後に取り付けたガセット板２・２により効果的に分散吸収できる。
【００３０】
また、上記屋根組みブロックＢを用いた屋根工法においては、クレーンで吊りながら部材を取り付ける作業が要求されないため、施工作業を迅速かつ安全に行うことができ、工期の短縮も実現できる。
【００３１】
本発明は、概ね上記のように構成されるが、本発明は図示の実施形態に限定されるものでは決してなく、「特許請求の範囲」の記載内において種々の変更が可能であって、例えば、垂木ユニットＵや屋根組みブロックＢのサイズは屋根の間隔や高さに合わせて自由に設計を変更することができ、また、垂木ユニット材Ｕにおけるガセット板２のサイズも求められる耐荷重性に合わせて自由に変更することが可能である。
【００３２】
また、ガセット板２の材料についても、構造用合板に限らず金属プレート等を使用することもでき、またユニット骨格材１に対するガセット板２の固定方法についても釘打ち以外の方法であってもよく、上記何れのものも本発明の技術的範囲に属する。
【産業上の利用可能性】
【００３３】
近年、建築業界の競争激化により工期が短くかつ低コストで住宅施工を行える技術が求められており、また同時に、政府の「２００年住宅」構想によって、耐久性に優れた建築構造の要請も高まっている。
【００３４】
そのような中で、本発明の屋根組み用垂木ユニット、屋根組みブロック及び建築の屋根施工方法は、積雪等が多い地域でも耐久性に優れ、かつ、施工作業の大幅な効率化も可能な有用な技術であることから、市場における需要は大きく、その産業上の利用価値は非常に高い。
【符号の説明】
【００３５】
１  ユニット骨格材
11  合掌材
12  横架材
13  縦材
14  斜材
２  ガセット板
３  横木材
４  連結金具
41  煽止め金具
42  羽子板ボルト
Ｔ  トライアングル部
Ｕ  垂木ユニット材
Ｂ  屋根組みブロック
Ｎ  軒桁
Ｍ  母屋
Ｈ  建築構造体
Ｐ  野地板
【図１】
2011106191.tif 000003
【図２】
2011106191.tif 000004
【図３】
2011106191.tif 000005
【図４】
2011106191.tif 000006
【図５】
2011106191.tif 000007
【図６】
2011106191.tif 000008
【図７】
2011106191.tif 000009